(57)【特許請求の範囲】
【請求項１】
ディスプレイを有するパーソナルコンピュータと、筆記具で記入する用紙の下に敷いて使用される下記（Ａ）の電子下敷きとを備え、上記用紙の表面における筆記具の先端の移動軌跡を、上記電子下敷きが特定して上記パーソナルコンピュータに出力し、上記ディスプレイに表示することを特徴とする情報管理システム。
（Ａ）シート状のアンダークラッド層の表面に、複数の線状のコアを格子状に配置形成し、これらコアを被覆した状態でオーバークラッド層をシート状に形成し、そのオーバークラッド層の表面を上記用紙との接触面とするシート状の光導波路と、上記コアの一端面に接続される発光素子と、上記コアの他端面に接続される受光素子と、上記光導波路の表面における筆記具の先端の移動軌跡を、その移動により変化したコアの光伝播量によって特定する移動軌跡特定手段とを備え、上記コアの弾性率が、上記アンダークラッド層の弾性率および上記オーバークラッド層の弾性率よりも大きく設定され、上記シート状の光導波路の表面における上記筆記具の先端による押圧状態で、その押圧方向のコアの断面の変形率が、オーバークラッド層およびアンダークラッド層の断面の変形率よりも小さくなるようになっている電子下敷き。
【発明の詳細な説明】
【技術分野】
【０００１】
本発明は、文字等を手書きで書き込む用紙の下に敷き、その用紙に記入した内容をデジタルデータ（電子データ）として管理することができる情報管理システムに関するものである。
【背景技術】
【０００２】
例えば、スポーツクラブに入会を申し込む場合、一般に、入会希望者は、そのスポーツクラブで専用の申し込み用紙に住所や氏名等の必要事項を記入することが行われる。そして、そのスポーツクラブのスタッフは、入会者の管理のために、上記申し込み用紙に記入された住所等の情報を、パーソナルコンピュータ（以下「パソコン」という）にキーボードを利用して入力することが行われる（例えば、特許文献１参照）。
【先行技術文献】
【特許文献】
【０００３】
【特許文献１】特開２００７−０３４９０７号公報
【発明の概要】
【発明が解決しようとする課題】
【０００４】
しかしながら、入会希望者が申し込み用紙に記入した後に、スタッフがパソコンに入力するのでは、時間を要するだけでなく、スタッフの労力も要する。しかも、パソコン入力中にキーボードの操作ミスにより、入力ミスが発生するおそれがある。また、スポーツクラブが上記申し込み用紙を管理するのに、コストを要する。
【０００５】
そこで、本出願人は、用紙に記入した文字等を直接電子化することができる手帳装置を提案し既に出願している（特開２０１２−１６０１６０号公報）。その手帳装置は、四角枠状の光導波路を備えており、その四角枠内に光を格子状に走らせるようになっている。そして、その四角枠状の光導波路を、筆記具で記入するタイプの手帳に綴じられた用紙の上に載せ、その四角枠内から露呈した上記用紙の部分に筆記具で文字等を記入すると、上記格子状に走る光をペン先が遮光し、その遮光位置からペン先の位置が検知され、記入した文字等を電子データとして特定できるようになっている。すなわち，上記手帳装置は、用紙に記入した文字等を直接電子データ化することができるようになっている。
【０００６】
しかしながら、上記手帳装置では、場合によって、ペン等の筆記具を持つ手の小指やその付け根部分（小指球）等が上記四角枠内に入ると、その手の部分も上記格子状の光を遮光するため、記入した文字等であると判断され電子データ化されることがある。その手の部分の電子データは、不要なものである。
【０００７】
本発明は、このような事情に鑑みなされたもので、上記のような遮光を利用するものではなく、光導波路に加えられるペン等の筆記具による筆圧に基づくコアの光伝播の変化を利用するものであり、そのため、上記のように用紙の上に載せて使用するものではなく、用紙の下に敷いて使用し、筆記具で用紙に記入する際に、その筆記具を持つ手の小指やその付け根部分等の不要部分が感知されないようになっており、用紙に記入すると同時に、その記入した内容を電子データ化し、その電子データを管理する情報管理システムの提供をその目的とする。
【課題を解決するための手段】
【０００８】
上記の目的を達成するため、本発明の情報管理システムは、ディスプレイを有するパソコンと、筆記具で記入する用紙の下に敷いて使用される下記（Ａ）の電子下敷きとを備え、上記用紙の表面における筆記具の先端の移動軌跡を、上記電子下敷きが特定して上記パソコンに出力し、上記ディスプレイに表示するという構成をとる。
（Ａ）シート状のアンダークラッド層の表面に、複数の線状のコアを格子状に配置形成し、これらコアを被覆した状態でオーバークラッド層をシート状に形成し、そのオーバークラッド層の表面を上記用紙との接触面とするシート状の光導波路と、上記コアの一端面に接続される発光素子と、上記コアの他端面に接続される受光素子と、上記光導波路の表面における筆記具の先端の移動軌跡を、その移動により変化したコアの光伝播量によって特定する移動軌跡特定手段とを備え、上記コアの弾性率が、上記アンダークラッド層の弾性率および上記オーバークラッド層の弾性率よりも大きく設定され、上記シート状の光導波路の表面における上記筆記具の先端による押圧状態で、その押圧方向のコアの断面の変形率が、オーバークラッド層およびアンダークラッド層の断面の変形率よりも小さくなるようになっている電子下敷き。
【０００９】
なお、本発明において、「変形率」とは、押圧方向における、コア，オーバークラッド層およびアンダークラッド層の押圧前の各厚みに対する、押圧時の各厚みの変化量の割合をいう。また、筆記具の先端の「移動」には、移動距離が０（零）の場合を含み、その場合の「移動軌跡」は、点となる。
【発明の効果】
【００１０】
本発明の情報管理システムは、筆記具で記入する用紙の下に敷いて使用される電子下敷きを備えている。そして、その電子下敷きは、コアの弾性率がアンダークラッド層の弾性率およびオーバークラッド層の弾性率よりも大きく設定されたシート状の光導波路を備えている。そのため、光導波路のオーバークラッド層の表面を押圧したときに、その押圧方向のコアの断面の変形率が、オーバークラッド層およびアンダークラッド層の断面の変形率よりも小さくなり、押圧方向のコアの断面積が保持される。そして、その光導波路のオーバークラッド層の表面に用紙を載せ、その用紙に文字等をペン等の筆記具で記入すると、その先端（ペン先等）による筆圧および筆記具を持つ手の部分による圧力が、用紙を介してオーバークラッド層に伝わり、オーバークラッド層の表面が押圧される。それにより、筆記具の先端による押圧部分では、コアの曲がり具合が筆記具の先端に沿った急なものとなり、コアからの光の漏れ（散乱）が発生し、筆記具を持つ手の部分による押圧部分では、コアの曲がり具合が手に沿った緩やかなものとなり、上記光の漏れ（散乱）が発生しないようにすることができる。そのため、ペン先等の先端で押圧されたコアでは、受光素子での光の検出レベル（受光量）が低下し、筆記具を持つ手の部分で押圧されたコアでは、その検出レベルが低下しないようにすることができる。そして、その光の検出レベルの低下から、移動軌跡特定手段により、ペン先等の先端の位置（座標）を検知することができ、その検出レベルが低下しない手の部分は、押圧されていない状態と同じになるため、感知されないようにすることができる。そのため、ペン先等の先端の移動軌跡（記入した文字等の情報）のみを検知することができる。そして、そのペン先等の先端の移動軌跡は、電子データとしてパソコンに出力され、そのパソコンのディスプレイに表示することができる。すなわち、用紙に記入した文字等の情報は、その記入と同時に電子データ化することができるとともに、パソコンを利用して整理等され管理することができる。
【図面の簡単な説明】
【００１１】
【図１】本発明の情報管理システムの一実施の形態を模式的に示す説明図である。
【図２】上記情報管理システムを構成する電子下敷きを模式的に示し、（ａ）はその平面図であり、（ｂ）はその拡大断面図である。
【図３】（ａ）は、筆記具により用紙を介して押圧された上記電子下敷きの光導波路の状態を模式的に示す断面図であり、（ｂ）は、手により用紙を介して押圧された上記光導波路の状態を模式的に示す断面図である。
【発明を実施するための形態】
【００１２】
つぎに、本発明の実施の形態を図面にもとづいて詳しく説明する。
【００１３】
図１は、本発明の情報管理システムの一実施の形態を示している。この実施の形態の情報管理システムは、ディスプレイＤを有するパソコンＰと、ペン等の筆記具１０で記入する用紙Ｋの下に敷いて使用する電子下敷きＡとを備えている。そして、この実施の形態では、これらパソコンＰと電子下敷きＡとが、ＵＳＢケーブル等の接続ケーブルＣで接続されており、上記用紙Ｋに記入した文字等の情報は、電子下敷きＡで検知され、接続ケーブルＣを介して、パソコンＰに出力されディスプレイＤに表示されるようになっている。
【００１４】
上記電子下敷きＡは、その平面図を図２（ａ）に、その中央部の拡大断面図を図２（ｂ）に示すように、格子状のコア２が四角形シート状のアンダークラッド層１とオーバークラッド層３とで挟持された四角形シート状の光導波路Ｗと、上記格子状のコア２を構成する線状のコア２の一端面に接続される発光素子４と、上記線状のコア２の他端面に接続される受光素子５と、上記電子下敷きＡを制御するＣＰＵ（中央処理装置）（図示せず）ならびに上記発光素子４および上記受光素子５が搭載された回路基板６とを備えている。この実施の形態では、これら光導波路Ｗおよび回路基板６が、樹脂板や金属板等の剛性板７の表面に設けられている。そして、上記発光素子４から発光された光は、上記コア２の中を通り、上記受光素子５で受光されるようになっている。また、上記光導波路Ｗにおいて、上記コア２の弾性率が、上記アンダークラッド層１の弾性率および上記オーバークラッド層３の弾性率よりも大きく設定されている。これにより、上記光導波路Ｗの表面を押圧したときに、その押圧方向のコア２の断面の変形率が、オーバークラッド層３およびアンダークラッド層１の断面の変形率よりも小さくなるようになっている。
【００１５】
なお、図２（ａ）では、コア２を鎖線で示しており、鎖線の太さがコア２の太さを示している。また、図２（ａ）では、コア２の数を略して図示している。さらに、図２（ａ）の矢印は、光の進む方向を示している。また、この実施の形態では、上記発光素子４やＣＰＵ等に必要な電源は、パソコンＰから接続ケーブルＣを介して供給されるようになっている。そして、上記電子下敷きＡが用紙Ｋの下に敷いて使用されるときは、上記電子下敷きＡの光導波路Ｗのオーバークラッド層３〔図３（ａ），（ｂ）参照〕の表面が、上記用紙Ｋとの接触面となるようにする。
【００１６】
上記用紙Ｋにおける入力領域は、上記電子下敷きＡの光導波路Ｗの格子状のコア２〔図２（ａ）参照〕に対応する部分となっている。そして、上記筆記具１０（図１参照）による上記用紙Ｋへの情報の入力は、その用紙Ｋの表面に文字等を書くように、その用紙Ｋの表面で、筆記具１０の先端（ペン先等）１０ａ（図１参照）を移動させることにより行われる。すなわち、図３（ａ），（ｂ）に断面図で示すように、上記用紙Ｋの表面に、手２０に持ったペン等の筆記具１０で文字等の情報を記入して入力すると、ペン先等の先端１０ａによる押圧部分〔図３（ａ）参照〕も手２０の小指やその付け根部分（小指球）等による押圧部分〔図３（ｂ）参照〕も、その押圧方向の断面では、弾性率の小さいオーバークラッド層３とアンダークラッド層１とがつぶれるように変形し、弾性率の大きいコア２は、断面積を保持したまま、ペン先等の先端１０ａや手２０の部分に沿って、アンダークラッド層１に沈むように曲がる。
【００１７】
そして、先端１０ａによる押圧部分では、図３（ａ）に示すように、その先端１０ａが尖っていることから、コア２の曲がり具合が急なものとなり、コア２からの光の漏れ（散乱）が発生する〔図３（ａ）の二点鎖線の矢印参照〕。一方、筆記具１０を持つ手２０による押圧部分では、図３（ｂ）に示すように、その手２０が上記筆記具１０の先端１０ａと比較してかなり大きくて丸くなっていることから、コア２の曲がり具合が緩やかなものとなり、上記光の漏れ（散乱）が発生しない（光はコア２内を漏れることなく進む）〔図３（ｂ）の二点鎖線の矢印参照〕。そのため、先端１０ａで押圧されたコア２では、受光素子５での光の検出レベルが低下し、筆記具１０を持つ手２０で押圧されたコア２では、その検出レベルが低下しないようにすることができる。そして、その光の検出レベルの低下から、先端１０ａの位置（座標）を検知することができる。その検出レベルが低下しない手２０の部分は、押圧されていない状態と同じであるため、感知されない。
【００１８】
そこで、上記電子下敷きＡのＣＰＵには、上記受光素子５での光の検出レベルの低下から、ペン先等の先端１０ａの移動軌跡を特定するプログラム（移動軌跡特定手段）が組み込まれている。すなわち、上記電子下敷きＡは、情報の入力に用いる筆記具（ペン等）１０の先端（ペン先等）１０ａの位置を検知する位置センサになっている。そして、上記筆記具１０の先端１０ａの移動軌跡を示すデータは、接続ケーブルＣを介して上記パソコンＰに出力され、そのパソコンＰで適正に画像化処理され、上記移動軌跡がディスプレイＤに表示されるようになっている。
【００１９】
このように、上記情報管理システムでは、電子下敷きＡを使用して用紙Ｋに文字等の情報を記入すると、それと同時に、その文字等の情報は、電子データ化され、パソコンＰに出力される。そして、その電子データは、パソコンＰを利用して、保存（記憶）されたり整理されたりして適正に管理することができる。
【００２０】
また、上記光導波路Ｗにおいて、コア２の弾性率が、アンダークラッド層１の弾性率およびオーバークラッド層３の弾性率よりも大きく設定されているため、筆記具１０を持つ手２０が光導波路Ｗを押圧しても、上記のように、ペン先等の先端１０ａの位置のみを検知し、手２０の部分は感知されないようにすることができる。
【００２１】
さらに、上記用紙Ｋへの入力時には、筆記具１０の先端１０ａが用紙Ｋを介して押圧する光導波路Ｗの部分が、上記のように変形するため、書き味が良好である。
【００２２】
なお、上記筆記具１０の先端１０ａによる押圧が解除される（先端１０ａが移動したり記入等の入力が終了したりする）と、上記アンダークラッド層１，コア２およびオーバークラッド層３は、各自の復元力により、元の状態〔図２（ｂ）参照〕に戻る。そして、上記コア２の、アンダークラッド層１への沈み込み深さＤは、最大で２０００μｍまでとすることが好ましい。それを超えると、上記アンダークラッド層１，コア２およびオーバークラッド層３が元の状態に戻らなくなったり、光導波路Ｗに割れが発生したりするおそれがある。
【００２３】
このような情報管理システムの用途の一つとして、例えば、スポーツクラブでの入会者の登録業務があげられる。すなわち、スポーツクラブへの入会希望者が、そのスポーツクラブで専用の申し込み用紙に住所や氏名等の必要事項を記入する際に、その申し込み用紙（上記用紙Ｋに相当）の下に、上記電子下敷きＡを敷く。このようにすることにより、上記申し込み用紙に住所等を記入すると同時に、その住所等を電子データ化してパソコンＰに出力される。そのため、スポーツクラブのスタッフは、記入された申し込み用紙を、その場で、入会希望者に確認用として渡すことができ、その申し込み用紙を管理する必要がなくなる。また、スタッフがキーボード操作をすることなく、住所等の電子データが、上記記入と同時に、パソコンＰで適正に整理等され管理される。これにより、スタッフの、パソコンＰへの入力作業がなくなり、しかも、キーボードの操作ミスもなくなる。ここで、上記パソコンＰとは、一般的なパソコンだけでなく、そのパソコンと同様な機能を有するスマートフォン，タブレット端末等の機器を含む意味である。
【００２４】
なお、上記用途では、上記申し込み用紙は、それまで使用してきたものを使用することができる。そのため、上記電子下敷きＡを使用する情報管理システムとすることにより、簡単に、上記のような利点を得ることができる。また、上記電子下敷きＡの適正な位置で、上記住所等の情報が感知されるよう、上記電子下敷きＡの表面に、上記申し込み用紙の位置決め用の目印を設けることが好ましい。
【００２５】
上記用途以外にも、例えば、テスト採点業務での使用があげられ、その場合、テスト結果を電子データ化してパソコンＰに出力し、迅速に整理や集計をすることができる。また、セキュリティ関連の用途があげられ、その場合、用紙Ｋに書いたサインを電子データ化してパソコンＰに出力し、パソコンＰに予め記憶されていたデータと比較して、迅速に上記サインの認証を行うことができる。
【００２６】
ここで、上記コア２，アンダークラッド層１およびオーバークラッド層３の弾性率等について、より詳しく説明する。
【００２７】
上記コア２の弾性率は、１ＧＰａ〜１０ＧＰａの範囲内であることが好ましく、より好ましくは、２ＧＰａ〜５ＧＰａの範囲内である。コア２の弾性率が１ＧＰａを下回ると、ペン先等の先端１０ａの形状により、その先端１０ａの圧力で、コア２の断面積が保持されない（コア２がつぶれる）場合があり、先端１０ａの位置を適正に検知できないおそれがある。一方、コア２の弾性率が１０ＧＰａを上回ると、先端１０ａの圧力によるコア２の曲がりが、その先端１０ａに沿った急な曲がりにならずに緩やかな曲がりになる場合がある。そのため、コア２からの光の漏れ（散乱）が発生せず、受光素子５での光の検出レベルが低下しなくなることから、先端１０ａの位置を適正に検知できないおそれがある。なお、コア２の寸法は、例えば、厚みが５〜１００μｍの範囲内、幅が５〜５００μｍの範囲内に設定される。
【００２８】
上記オーバークラッド層３の弾性率は、０．１ＭＰａ以上１０ＧＰａ未満の範囲内であることが好ましく、より好ましくは、１ＭＰａ以上５ＧＰａ未満の範囲内である。オーバークラッド層３の弾性率が０．１ＭＰａを下回ると、柔らかすぎて、ペン先等の先端１０ａの形状により、その先端１０ａの圧力で、破損する場合があり、コア２を保護することができなくなる。一方、オーバークラッド層３の弾性率が１０ＧＰａ以上であると、先端１０ａや手２０の圧力によっても、つぶれるように変形しなくなり、コア２がつぶれ、先端１０ａの位置を適正に検知できないおそれがある。なお、オーバークラッド層３の厚みは、例えば、１〜２００μｍの範囲内に設定される。
【００２９】
上記アンダークラッド層１の弾性率は、０．１ＭＰａ〜１ＧＰａの範囲内であることが好ましく、より好ましくは、１ＭＰａ〜１００ＭＰａの範囲内である。アンダークラッド層１の弾性率が０．１ＭＰａを下回ると、柔らかすぎて、ペン先等の先端１０ａで押圧した後、元の状態に戻らず、連続的に行えない場合がある。一方、アンダークラッド層１の弾性率が１ＧＰａを上回ると、先端１０ａや手２０の圧力によっても、つぶれるように変形しなくなり、コア２がつぶれ、先端１０ａの位置を適正に検知できないおそれがある。なお、アンダークラッド層１の厚みは、例えば、２０〜２０００μｍの範囲内に設定される。
【００３０】
上記コア２，アンダークラッド層１およびオーバークラッド層３の形成材料としては、感光性樹脂，熱硬化性樹脂等があげられ、その形成材料に応じた製法により、光導波路Ｗを作製することができる。また、上記コア２の屈折率は、上記アンダークラッド層１およびオーバークラッド層３の屈折率よりも大きく設定されている。そして、上記弾性率および屈折率の調整は、例えば、各形成材料の種類の選択や組成比率を調整して行うことができる。なお、上記アンダークラッド層１として、ゴムシートを用い、そのゴムシート上にコア２を格子状に形成するようにしてもよい。
【００３１】
また、上記アンダークラッド層１の裏面（アンダークラッド層１と剛性板７との間）に、ゴム層等の弾性層を設けてもよい。この場合、アンダークラッド層１，コア２およびオーバークラッド層３の復元力が弱くなったり、それらが元々復元力の弱い材料からなるものであったりしても、上記弾性層の弾性力を利用して、上記弱い復元力を補助し、筆記具１０の先端１０ａによる押圧が解除された後、元の状態に戻すことができる。
【００３２】
また、上記のように、ペン先等の先端１０ａの位置のみが検出され、ペン等の筆記具１０を持つ手２０が感知されないようにするためには、その先端１０ａによる押圧部分でのコア２の急な曲がりによる光の漏れ（散乱）量が重要である。そこで、例えば、ペン先等の先端１０ａの曲率半径Ｒ（単位：μｍ）と、コア２の厚みＴ（単位：μｍ）との比Ａ（＝Ｒ／Ｔ）を用い、コア２とアンダークラッド層１およびオーバークラッド層３との間の屈折率差Δを規定すると、その屈折率差Δの最大値Δmax は、下記の式（１）のようになる。すなわち、屈折率差Δがこの最大値Δmax よりも大きいと、ペン先等の先端１０ａで押圧しても、光の漏れ（散乱）量が少なく、受光素子５での光の検出レベルが充分に低下しないため、ペン先等の先端１０ａの位置と手２０の位置との区別が困難になる。
【００３３】
【数１】
0005513655.tif 000002
【００３４】
一方、屈折率差Δの最小値Δmin は、下記の式（２）のようになる。すなわち、屈折率差Δがこの最小値Δmin よりも小さいと、手２０による押圧部分でも、光の漏れ（散乱）が発生し、ペン先等の先端１０ａの位置と手２０の位置との区別が困難になる。
【００３５】
【数２】
0005513655.tif 000003
【００３６】
そのため、上記屈折率差Δは、最小値Δmin と最大値Δmax との間に設定することが好ましい。ここで、例えば、上記先端１０ａの曲率半径Ｒ（単位：μｍ）を１００〜１０００の範囲内、コア２の厚みＴ（単位：μｍ）を１０〜１００の範囲内、比Ａを１〜１００の範囲内とすると、屈折率差Δは、１．０×１０-3〜７．９５×１０-2の範囲内となる。なお、比Ａが１００を超える場合は、最小値Δmin を１．０×１０-3（一定）とする。
【００３７】
なお、上記実施の形態では、電子下敷きＡからパソコンＰへの情報伝達を接続ケーブルＣにより行ったが、無線で行ってもよい。その場合、電子下敷きＡに必要な電源が、接続ケーブルＣを介してパソコンＰから供給されないため、電子下敷きＡに電池等の電源が設けられる。
【００３８】
また、上記実施の形態では、光導波路Ｗを支持するために剛性板７を設けたが、その剛性板７を設けなくてもよい。その場合は、上記電子下敷きＡの光導波路Ｗをテーブル等の硬い平面台の上に載置した状態で、入力する。
【００３９】
つぎに、実施例について比較例と併せて説明する。但し、本発明は、実施例に限定されるわけではない。                                                                
【実施例】
【００４０】
〔オーバークラッド層の形成材料〕
成分Ａ：エポキシ樹脂（四日市合成社製、エポゴーセーＰＴ）３０重量部。
成分Ｂ：エポキシ樹脂（ダイセル社製、ＥＨＰＥ３１５０）７０重量部。
成分Ｃ：光酸発生剤（サンアプロ社製、ＣＰＩ２００Ｋ）４重量部。
成分Ｄ：乳酸エチル（和光純薬社製）１００重量部。
これら成分Ａ〜Ｄを混合することにより、オーバークラッド層の形成材料を調製した。
【００４１】
〔コアの形成材料〕
成分Ｅ：エポキシ樹脂（ダイセル社製、ＥＨＰＥ３１５０）８０重量部。
成分Ｆ：エポキシ樹脂（新日鉄化学社製、ＹＤＣＮ７００−１０）２０重量部。
成分Ｇ：光酸発生剤（ＡＤＥＫＡ社製、ＳＰ１７０）１重量部。
成分Ｈ：乳酸エチル（和光純薬社製）５０重量部。
これら成分Ｅ〜Ｈを混合することにより、コアの形成材料を調製した。
【００４２】
〔アンダークラッド層の形成材料〕
成分Ｉ：エポキシ樹脂（四日市合成社製、エポゴーセーＰＴ）７５重量部。
成分Ｊ：エポキシ樹脂（三菱化学社製、ＪＥＲ１００７）２５重量部。
成分Ｋ：光酸発生剤（サンアプロ社製、ＣＰＩ２００Ｋ）４重量部。
成分Ｌ：乳酸エチル（和光純薬社製）５０重量部。
これら成分Ｉ〜Ｌを混合することにより、アンダークラッド層の形成材料を調製した。
【００４３】
〔光導波路の作製〕
ガラス製基材の表面に、上記オーバークラッド層の形成材料を用いて、スピンコート法により、オーバークラッド層を形成した。このオーバークラッド層の厚みは５μｍ、弾性率は１．２ＧＰａ、屈折率は１．５０３であった。
【００４４】
ついで、上記オーバークラッド層の表面に、上記コアの形成材料を用いて、フォトリソグラフィ法により、コアを形成した。このコアの厚みは３０μｍ、格子状部分のコアの幅は１００μｍ、ピッチは６００μｍ、弾性率は３ＧＰａ、屈折率は１．５２３であった。
【００４５】
つぎに、上記コアを被覆するように、上記オーバークラッド層の表面に、上記アンダークラッド層の形成材料を用いて、スピンコート法により、アンダークラッド層を形成した。このアンダークラッド層の厚み（オーバークラッド層の表面からの厚み）は２００μｍ、弾性率は３ＭＰａ、屈折率は１．５０３であった。
【００４６】
そして、ＰＥＴ製基板（厚み１ｍｍ）の片面に、両面テープ（厚み２５μｍ）を貼着したものを準備した。ついで、その両面テープのもう一方の粘着面を上記アンダークラッド層の表面に貼着し、その状態で、上記オーバークラッド層を上記ガラス製基材から剥離した。
【００４７】
〔比較例〕
〔オーバークラッド層の形成材料〕
成分Ｍ：エポキシ樹脂（四日市合成社製、エポゴーセーＰＴ）４０重量部。
成分Ｎ：エポキシ樹脂（ダイセル社製、２０２１Ｐ）６０重量部。
成分Ｏ：光酸発生剤（ＡＤＥＫＡ社製、ＳＰ１７０）４重量部。
これら成分Ｍ〜Ｏを混合することにより、オーバークラッド層の形成材料を調製した。
【００４８】
〔コアの形成材料〕
成分Ｐ：エポキシ樹脂（四日市合成社製、エポゴーセーＰＴ）３０重量部。
成分Ｑ：エポキシ樹脂（ＤＩＣ社製、ＥＸＡ−４８１６）７０重量部。
成分Ｒ：光酸発生剤（ＡＤＥＫＡ社製、ＳＰ１７０）４重量部。
これら成分Ｐ〜Ｒを混合することにより、コアの形成材料を調製した。
【００４９】
〔アンダークラッド層の形成材料〕
成分Ｓ：エポキシ樹脂（四日市合成社製、エポゴーセーＰＴ）４０重量部。
成分Ｔ：エポキシ樹脂（ダイセル社製、２０２１Ｐ）６０重量部。
成分Ｕ：光酸発生剤（ＡＤＥＫＡ社製、ＳＰ１７０）４重量部。
これら成分Ｓ〜Ｕを混合することにより、アンダークラッド層の形成材料を調製した。
【００５０】
〔光導波路の作製〕
上記実施例と同様にして、同寸法の光導波路を作製した。ただし、弾性率は、オーバークラッド層が１ＧＰａ、コアが２５ＭＰａ、アンダークラッド層が１ＧＰａであった。また、屈折率は、オーバークラッド層が１．５０４、コアが１．５３２、アンダークラッド層が１．５０４であった。
【００５１】
〔電子下敷きの作製〕
上記実施例および比較例の各光導波路のコアの一端面に、発光素子（Optowell社製、XH85-S0603-2s ）を接続し、コアの他端面に、受光素子（浜松ホトニクス社製、s10226）を接続し、上記発光素子，上記受光素子，電子下敷きを制御するＣＰＵ等を搭載した回路を設け、実施例および比較例の各電子下敷きを作製した。
【００５２】
〔情報管理システムの作製〕
ディスプレイ付きパソコンを準備し、接続ケーブルで上記電子下敷きと接続し、情報管理システムを作製した。上記パソコンには、電子下敷きの入力領域の座標を、ディスプレイの画面の座標に変換し、電子下敷きで入力した文字等をディスプレイに表示するソフトウェア（プログラム）が、組み込まれている。
【００５３】
〔情報管理システムの作動確認〕
上記電子下敷きの光導波路のオーバークラッド層の表面に、用紙を載せ、その用紙に、入力者がボールペン（ペン先の曲率半径３５０μｍ）を手に持ち、文字を記入した。
【００５４】
その結果、実施例の電子下敷きを用いた情報管理システムでは、用紙に記入した文字のみが、上記ディスプレイに表示されるとともに、上記パソコンのメモリに保存された。それに対して、比較例の電子下敷きを用いた情報管理システムでは、用紙に記入した文字だけでなく、ボールペンを持つ手の部分も、上記ディスプレイに表示され、上記パソコンのメモリに保存された。
【００５５】
この結果から、実施例の電子下敷きを用いた情報管理システムは、用紙に書き込んだ情報のみを検知でき、不要な情報は検知しないようにできることがわかる。
【産業上の利用可能性】
【００５６】
本発明の情報管理システムは、用紙に文字等の情報を書き込むと同時に、その文字等の情報を電子データ化して管理することに利用可能である。
【符号の説明】
【００５７】
Ａ  電子下敷き
Ｄ  ディスプレイ
Ｐ  パソコン
Ｋ  用紙
Ｗ  光導波路
２  コア
１０  筆記具
【要約】
【課題】筆記具で用紙に記入する際に、その筆記具を持つ手の小指やその付け根部分等の不要部分が感知されないようになっており、用紙に記入すると同時に、その記入した内容を電子データ化し、その電子データを管理する情報管理システムを提供する。
【解決手段】ディスプレイＤを有するパソコンＰと、筆記具１０で記入する用紙Ｋの下に敷いて使用する電子下敷きＡとを備えている。電子下敷きＡは、格子状のコア２がシート状のアンダークラッド層とオーバークラッド層とで挟持されたシート状の光導波路Ｗと、コア２の一端面に接続される発光素子と、コア２の他端面に接続される受光素子とを備え、コア２の弾性率が、アンダークラッド層の弾性率およびオーバークラッド層の弾性率よりも大きく設定されている。
【選択図】図１【図１】
0005513655.tif 000004
【図２】
0005513655.tif 000005
【図３】
0005513655.tif 000006